(57)【要約】【課題】  ＨＤ画質の記録の為に、ＡＶＣＨＤ規格かＢＤの規格に対応しなければならない。しかし、従来のカメラは、ＤＶＤの規格かＡＶＣＨＤの規格にしか対応していなかった。しかし容量の問題などがありＢＤに対応したカメラが求められていた。【解決手段】  前記課題を解決するため、ＡＶＣＨＤ規格とＢＤの規格、共通部分を資産化する。こうすることで開発工数を削減し、新規のソフトウェアやハードウェアを追加せずにＡＶＣＨＤ規格に対応するＢＤ対応ビデオカメラが実現できる。【選択図】  図１
2008205986.tif 000002
【特許請求の範囲】
【請求項１】
被写体を撮像する撮像手段と、
該撮像手段が出力する映像情報を所定の符号化方式で圧縮する圧縮手段と、
該圧縮手段が出力する圧縮映像情報を所定のフォーマットに変換するフォーマット生成手段と、
該フォーマット生成手段が出力する情報を記録媒体に記録する記録手段と、
を備え、
前記圧縮手段は、Ｈ．２６４及びＭＰＥＧの符号化方式で前記映像情報を圧縮可能であり、
前記フォーマット生成手段は、ＢＤ、ＡＶＣＨＤおよびＤＶＤのフォーマットに変換可能であり、かつ、ＢＤおよびＡＶＣＨＤのフォーマット変換では、少なくともディレクトリ構成および管理情報の生成を共通にし、
前記記録媒体は、ＢＤまたはＤＶＤであり、
前記記録手段は、前記圧縮手段でＨ．２６４の符号化方式で圧縮され、前記フォーマット生成手段でＢＤのフォーマットに変換された情報をＢＤに記録し、前記圧縮手段でＨ．２６４の符号化方式で圧縮され、前記フォーマット生成手段でＡＶＣＨＤのフォーマットに変換された情報、および前記圧縮手段でＭＰＥＧの符号化方式で圧縮され、前記フォーマット生成手段でＤＶＤのフォーマットに変換された情報をＤＶＤに記録すること、
を特徴とする撮像装置。
【請求項２】
複数の記録媒体に対応したドライブ装置を複数搭載し、前記記録媒体に応じた規格に準拠した記録再生を行なうことが可能な情報記録再生装置において、
入力された映像・音声を、前記規格に共通した機能を用いてそれぞれの規格に準拠した圧縮・伸張を行なう圧縮伸張装置と、前記圧縮されたストリームを前記規格に共通した機能を用いてそれぞれの規格に準拠したフォーマットに変換し、前記フォーマット変換されたデータを前記記録媒体に記録することを特徴とした情報記録再生装置。
【請求項３】
請求項２において前記複数の記録媒体は、ＤＶＤであり、ＢＤであり、ＨＤＤであり、ＳＤカードであり、更にはＤＶＤ、ＨＤＤ、ＳＤカードにはＡＶＣＨＤ規格のフォーマットでも記録することを特徴とした情報記録再生装置。
【請求項４】
請求項３において前記規格に共通した機能は、映像ではＨ．２６４の圧縮伸張機能であり、また音声ではＤｏｌｂｙＤｉｇｉｔａｌ圧縮伸張機能であることを特徴とした情報記録再生装置。
【請求項５】
請求項３において前記規格に共通した機能は、ＢＤＭＶサブセットに準拠したフォーマット生成機能と再生時に使用するフォーマット情報提供機能であり、ファイルフォーマットもＵＤＦ２．５であることを特徴とした情報記録再生装置。
【請求項６】
請求項４の前記共通機能を共通資産としたハードウェア構成を備え、請求項４の前記共通機能を共通資産としてソフトウェア構成を備えたことを特徴とした情報記録再生装置。
【請求項７】
ＢＤ、ＤＶＤ、ＨＤＤ（ハードディスク）、ＳＤカードに対応したドライブ装置を複数搭載し、記録した映像の記録媒体への読み書きを制御する装置と、各ブロックの調停や判定、また全体を管理するシステム制御用ＣＰＵと、指示された記録フォーマットを実現する為のフォーマット制御部と、各規格に準拠したコーデック制御を行う制御を備えたビデオカメラにおいて、ＡＶＣＨＤ準拠のフォーマットで記録する場合も、ＢＤに準拠したフォーマットで記録する場合もＢＤＭＶサブセットとＨ．２６４の映像圧縮伸張機能とＤｏｌｂｙＤｉｇｉｔａｌの音声圧縮伸張機能の共通資産を利用して記録・再生を実現することが可能なビデオカメラ装置。
【発明の詳細な説明】
【技術分野】
【０００１】
本発明は、情報記録再生装置に関する。例えば、ＤＶＤ／ＢＤやＨＤＤを搭載したディスク記録再生装置に関するものである。
【背景技術】
【０００２】
本技術分野の背景技術として、例えば、特開２００３−３０８６７５号公報（特許文献１）がある。該公報には、「［課題］本発明の第一の目的は、記録終了時の終了処理時間を短縮することができる情報記録技術を提供することである。さらに、本発明の第二の目的は、ビデオタイトルセット数、タイトル数の最大数の制限を受けることなく記録ができる情報記録技術を提供することである。［解決手段］本発明では、記録開始指示、記録終了指示といった記録指示により、情報を記録媒体に記録し、かつファイナライズ処理の際、１回の記録指示により生成される前記情報を１チャプタとして管理し、少なくとも１つのチャプタを１タイトルとして管理し、少なくとも１つのタイトルを１ビデオタイトルセットとして管理する管理情報を生成し、前記管理情報を前記記録媒体に記録する。」と記載されている（要約参照）
【特許文献１】特開２００３−３０８６７５号公報
【発明の開示】
【発明が解決しようとする課題】
【０００３】
昨今、ビデオカメラの世界では、上書きの心配がないことや映像検索の容易さなどの理由から、記録媒体はテープからディスクへと移行してきている。また、記録媒体はＤＶＤだけでなく、ＨＤＤ（Hard Disc Drive）や半導体メモリを搭載する製品も登場してきている。参考までに、ＤＶＤにデータを記録するフォーマットの例を特許文献１に紹介しておく。今後は媒体の更なる大容量化や高画質化（ＨＤ化）が求められてくる。最近では大容量化と高画質化を実現すべく、ＢＤＡ（Blu-ray Disc Association）で策定された次世代光ディスク規格Ｂｌｕ−ｒａｙＤｉｓｃ（ＢＤ）を採用した記録機も登場してきており、今後ビデオカメラでの適用も容易に推察される。
【０００４】
また、ビデオカメラでの高画質化の一つの技術として、従来のＳＤ（Standard Definition）画像に代わりＨＤ（High Definition）画像の記録機能が求められている。しかし、現行のＤＶＤでは、ＨＤ画像を記録することが許可されていない為、このままではＨＤの画質を楽しむことはできない。もしＨＤ画像を記録するのであれば、従来ＤＶＤにＨＤ画像を記録することが可能なＡＶＣＨＤ規格、もしくはＢＤＡで策定されているＢＤしかない。ＡＶＣＨＤ規格は、主に民生用のカメラで適用されており、カメラでもＨＤ画像を記録することが可能となる。また、ＤＶＤだけでなくＳＤカードやＨＤＤ（ハードディスク）への記録も想定されている。ただし、このＡＶＣＨＤ規格では従来のＤＶＤに記録する為に撮影時間があまり長くできない。８ｃｍのＤＶＤは約１．４ＧＢであるから、ＨＤ画像を９Ｍｂｐｓで記録したとすると２０分程度しか撮影できない。レートを下げたり、２層のディスクを使用することも可能ではあるがそれでも４０分弱程度しか撮影できない。ところが、８ｃｍのＢＤの容量は約７ＧＢとなる為、撮影時間がＤＶＤに比べて約４倍以上となる。その為、ＨＤ記録に対応したビデオカメラではＢＤディスクを採用するのがユーザにとって一番有利と容易に推察される。もしくはＤＶＤフォーラムで規定されているＨＤ−ＤＶＤを採用しても良い。
【０００５】
このようにＢＤの記録再生に対応したカメラがユーザにとって利便性が高いと考える。しかし、まだＢＤに対応したビデオカメラが存在しない状態では、ＨＤ画像で映像を残しておくにはＡＶＣＨＤ対応カメラを使用するしかない。その為ＢＤカメラが登場するまではＡＶＣＨＤで記録したディスクが増え続けることになる。今後ＢＤカメラが登場した時にＡＶＣＨＤの再生互換があれば非常に便利である。また、ＢＤディスクの発売当初はＤＶＤディスクよりも値段が高い為、ＤＶＤを使ってＨＤ記録、つまりＡＶＣＨＤで記録することも可能であれば尚良い。つまり、今後ＢＤカメラが登場した時にも、従来資産であるＡＶＣＨＤディスクに対応できる、つまりＡＶＣＨＤ記録再生互換機能をもつことがユーザにとって非常にメリットがでてくる。
【０００６】
ＡＶＣＨＤの記録フォーマットは、ＢＤ規格のフォーマットと非常に似ており、ほとんどの制御ソフトウェア（ライブラリ）やハードウェア資産を共通化して活用できる。これらを利用することによりＡＶＣＨＤ規格に対応したＢＤカメラを実現する為の開発工数や期間を削減することが可能となる。もちろん、従来のＤＶＤの資産も流用することにより従来のＤＶＤへの記録・再生にも対応することができる。
【０００７】
すなわち、情報記録再生装置の使い勝手向上の一例として、上記説明したように、共通資産を活用してＡＶＣＨＤ規格に対応したＢＤ／ＤＶＤの記録・再生が可能な情報記録再生装置が望まれている。また、共通部分を資産化することで開発工数を削減し、新規のソフトウェアやハードウェアをほとんど追加せずにＡＶＣＨＤ規格に対応することが望まれている。
【０００８】
本発明の目的は、情報記録再生装置の使い勝手向上である。
【課題を解決するための手段】
【０００９】
上記目的は、特許請求の範囲に記載の発明によって達成される。一例として、上記目的を達成する為に、複数の記録媒体に対応したドライブ装置を複数搭載し、前記記録媒体に応じた規格に準拠した記録再生を行なうことが可能な情報記録再生装置において、入力された映像・音声を、前記規格に共通した機能を用いてそれぞれの規格に準拠した圧縮・伸張を行なう圧縮伸張装置と、前記圧縮されたストリームを前記規格に共通した機能を用いてそれぞれの規格に準拠したフォーマットに変換し、前記フォーマット変換されたデータを前記記録媒体に記録する。
【発明の効果】
【００１０】
本発明によれば、情報記録再生装置の使い勝手が向上する。一例として、ＡＶＣＨＤ規格に準拠したＢＤ対応ビデオカメラを開発する上で、共通機能を資産化し利用することにより開発工数の削減もでき、より早く、ユーザに対してＨＤ画質の記録可能なビデオカメラを提供できる。また、ＨＤ画質の記録を行なうのにＢＤディスクだけでなく、ＡＶＣＨＤ記録でＤＶＤへの記録が可能な為、ユーザは、ＢＤよりも値段の安いＤＶＤを利用してＨＤ画質を楽しむことができる。
【００１１】
上記した以外の課題・構成・効果は以下の実施形態の説明により明らかにされる。
【発明を実施するための最良の形態】
【００１２】
以下、図面を参照して本発明の実施形態について説明する。
【００１３】
図１はカメラ一体型記録装置のブロック図である。
図１において、１００は、ユーザが操作する操作部であり、録画／停止キーやズームキー、記録モードの選択キーなどを含む。１０１はシステム制御部であり、多重／分離処理や各種フォーマット制御、媒体へのリードライトの制御、その他各部を統括して制御する。１１０は被写体の像を結像するための光学レンズと結像した光を電気信号に変換するための光電変換手段であるＣＣＤセンサもしくはＣＭＯＳセンサ、１１１は映像の電気信号をデジタル信号に変換するＡ／Ｄ変換器、１１２はデジタル信号に変換された画像情報を映像信号に変換するための処理を行う信号処理部、１１３は映像信号をＭＰＥＧ２やＨ．２６４のような所定の符号化方式に従って圧縮及び伸張処理する映像圧縮伸張部である。１１４は、映像を表示する表示部である。尚、この表示部１１４ファインダ内の表示部と、ビデオカメラの筐体の外側に設けられた可動式の表示部とに分けてもよい。また、１２０は集音した音声を電気的な音声信号に変換するマイク、１１４は音声を発生するスピーカ、１２１は音声信号を増幅するアンプ、１２２は音声の電気信号をデジタル信号に変換するＡ／Ｄ変換器（Ｄ／Ａ変換器）、１２３は、デジタル音声を、ＤｏｌｂｙＤｉｇｉｔａｌやＭｐｅｇのような所定の符号化方式に従って圧縮及び伸張処理する音声圧縮伸張部、１３１は映像圧縮伸張部１１３で生成された動画圧縮ストリーム、及び音声圧縮伸張部１２３で生成された音声圧縮ストリームとを多重化する多重化部、１３０は、映像圧縮伸張部１１３が圧縮処理した画像データ、及び音声圧縮伸張部１２３により圧縮処理された音声データ、及びこれらの多重化されたデータを一時的に記憶する大容量のメモリである。また、ＡＴＡＰＩ／ＡＴＡ部１３２は特定の規格に従ったインターフェース部、１４１は光ディスク、例えばＢＤであり、ＤＶＤ等である。また、１４２はＨＤＤ（ハードディスク）等の記録媒体である。媒体Ｒ／Ｗ制御部１３３は、記録媒体ＢＤ、もしくはＤＶＤ１４１やＨＤＤ１４２に記録再生するための動画像のデータファイルを、所定のファイル形式でリードライトする為の制御を行う。
【００１４】
１５０は記録媒体の種類を識別してＢＤＭＶ−ｓ規格やＶＲ規格，ＶＦ規格など各種の規格に準拠したフォーマットの情報を生成するフォーマット制御部である。また、１３４は、ＭＭＣ制御部であり、ＳＤカードのようなＭＭＣインターフェースをもつ媒体１４３に記録する場合に使用される。通常は静止画の記録を行なうが、多重／分離部の結果を所定のフォーマットに変換してから動画データを記録しても良い。
【００１５】
ここで、映像圧縮伸張部１１３、音声圧縮伸張部１２３、多重／分離部１３１、フォーマット制御部１５０、及びシステム制御部１００の各機能は、好ましくはマイクロプロセッサでプログラムが実行されることにより実現されるが、それらの一部又は全部がハードウェアで構成されてもよい。また、図１では制御線や情報線は説明上必要と考えられるものを示しており、製品上必ずしも全ての制御線や情報線を示しているとは限らない。実際には殆ど全ての構成ユニットが相互に接続されていると考えてよい。
【００１６】
次に、記録の動作について説明する。
操作部１００の操作によって動画撮影モードが選択された場合、システム制御部１００はその選択を認識してシステム全体が以下のように制御する。ＣＣＤもしくはＣＭＯＳセンサ１１０は駆動部（図示せず）により動画信号発生モードに駆動される。そして、光学レンズによって結像された像は、ＣＣＤもしくはＣＭＯＳセンサ１１０で電気信号に変換され、Ａ／Ｄ変換器１１１でデジタル信号に変換された後、信号処理部１１２で映像データに変換処理されて、その後、映像データは映像圧縮伸張部１１３で圧縮処理されるが、この圧縮処理はメモリ１３０と映像圧縮伸張部１１３との間で圧縮行程中の映像データをやりとりしながら、順次動画圧縮ストリームに変換処理する。一方、マイク１２０で集音された音声は、ＡＭＰ１２２とＡ／Ｄ変換器を通して音声圧縮伸張部１２３で圧縮処理され、メモリ１３０に一時記憶される。その後、メモリ１３０に記憶されている映像圧縮伸張部１１３で生成された動画圧縮ストリームと音声圧縮伸張部１２３で生成された音声圧縮ストリームは多重／分離部１３１で多重化処理され、その多重処理データはメモリ１３０に一時記憶される。この時、フォーマット制御部が規格に準拠したフォーマットを構築して、最終的に、多重処理データはメモリ１３０から出力され、媒体Ｒ／Ｗ制御部１３３及びＡＴＡＰＩ／ＡＴＡ部１３２を介して、所定の記録フォーマットで記録媒体ＤＶＤもしくはＢＤ１４１、及びＨＤＤ１４２に記録される。この場合、どちらか一方でも良いし、両方同時に記録してもかまわない。記録フォーマットは、本実施例に特徴的であり、図２及び３を参照して後述するように、フォーマット制御部１５０は、予め決められた所定のフォーマットで管理し、撮影された映像は、その映像のシーン毎に記録媒体に記録される。
【００１７】
次に、上記述べた映像圧縮伸張部１１３と音声圧縮伸張部１２３と多重／分離部１３１に関しての機能共通化について図２を用いて説明する。図２は、圧縮フォーマットと各種媒体との対応を示したイメージ図である。２００は、ＡＶコーデック処理部を実際のＬＳＩに見立てた場合を示しており、映像圧縮伸張部１１３と音声圧縮伸張部１２３の詳細を説明した部分である。もちろんソフトウェアのブロックでもよいし、ＬＳＩの中にコプロセッサなどが搭載されていてもかまわない。当然、その場合にはプログラムをダウンロードして動作させる為の準備などは当然の処理として特に記載はしない。最低限の処理を行なう。図示しないが、２０１と２０２は、ＡＶコーデック部から出力されている端子を表している。２０１はＨＤ画質の記録を行う場合、２０２はＳＤ画質の記録を行う場合の端子である。また、２１０はＢＤにデータを記録する場合のパスを選択する為の端子を示しており、また、２１１と２１２はＤＶＤに記録する場合のパスを選択する為の端子を示している。但し、実際の構成では図１の記録媒体１４１でも示すようにＤＶＤへのパスは一つである。図２ではフォーマットを切り替えた時のイメージ図を示しているので注意していただきたい。２２０は、ＢＤフォーマットで記録されるＢＤのディスクを示し、２２１は、ＡＶＣＨＤフォーマットで記録したＤＶＤを示し、２２２は従来ＤＶＤのフォーマット（ＶＲ，ＶＦ，＋ＶＲなど）で記録されたＤＶＤディスクを示している。ＤＶＤへＳＤ記録を行う場合には、ＭＰＥＧ２とＤｏｌｂｙＤｉｇｉｔａｌの組み合わせだけでよかったが、ＨＤ記録する為にＨ．２６４のコーデックが必要となってくる。その為ＡＶコーデックは音声は共通で映像を切り替える構成として、ＨＤ記録が要求された場合にはＨ．２６４とＤｏｌｂｙＤｉｇｉｔａｌの組み合わせを端子２０１から出力し、またＳＤ記録の場合にはＭＰＥＧ２とＤｏｌｂｙＤｉｇｉｔａｌの組み合わせを端子２０２から出力する構成とする。例えばユーザが、ＨＤ画質の記録を行いたいのであれば、ＢＤフォーマットかＡＶＣＨＤフォーマットが必要となるので、端子２０１を２１０、もしくは２１１に接続して記録を開始することなる。もちろんどちらの媒体を選択するかはユーザが選択できる。従来のＤＶＤへの記録が要求された場合には、端子２０２を２１２に接続すればよい。もし、ＳＤ画質でＢＤに記録する場合があっても端子２０２を端子２１０に接続することで記録が実現できる。上記説明した切替は、ディスクをビデオカメラにセットした時にディスクの情報（媒体の種類や管理情報により記録されているフォーマットの内容）を取得できるので自動的に切り替えてもかまわない。
【００１８】
次に、媒体がＨＤＤの場合について説明する。
図３は、図２の各種媒体がＨＤＤの場合になったものを示している。特に３２０，３２１，３２２は全て媒体はＨＤＤであり、それ以外の番号については百の位の番号を２から３に変えたものともらっていただきたい。
【００１９】
例えばユーザが、ＨＤ画質の記録を行いたいのであれば、ＢＤフォーマットかＡＶＣＨＤフォーマットが必要となるので、端子３０１を３１０、もしくは３１１に接続して記録を開始することなる。もちろんどちらの媒体を選択するかはユーザが選択できる。従来のＤＶＤフォーマットの記録が要求された場合には、端子３０２を３１２に接続すればよい。もし、ＳＤ画質でＢＤに記録する場合があっても端子３０２を端子３１０に接続することで記録が実現できる。
【００２０】
次に、各種フォーマットの共通化部分の活用について説明する。
図４は、フォーマットの生成部と各種フォーマットとの対応を示しているイメージ図である。４００は、フォーマット生成部で図１のフォーマット生成部１５０に相当したものである。図２と図３のＡＶコーデック２００もしくは３００の出力されたものが４００に入力されると考えて欲しい。４０１は、ＡＶＣＨＤとＢＤフォーマットの共通仕様生成部を示している。共通仕様とは、例えば、ディレクトリ構成であり、また各種管理情報のことである。以下に共通部分の具体的な例の一つをしめす。ＢＤＭＶなどの大文字はディレクトリである。詳細はここでは述べないが以下に示さない共通部分に関しても共通仕様とすればよい。更にＢＤとＡＶＣＨＤを記録する際に両規格を満足するように記録すれば尚良い。そうすればビデオカメラで記録したものに関しては完全に同じフォーマットとなるので再生やダビングの際にも非常に高速に処理ができる。
ROOT----BDMV--|
|----PLAYLIST
|----xxxxx.mpls
|----xxxxx.mpls
|----CLIPINFO
|----xxxxx.clpi
|----xxxxx.clpi
|----STREAM
|----xxxxx.m2ts
|----xxxxx.m2ts
また、論理層のファイルシステムについても共通である。更にＨＤＤ上でも共通のファイルシステムを使用しても良い。４０２は、ＤＶＤの為のフォーマット生成部であり、具体的にはＶＲ、ＶＦ，＋ＶＲフォーマットなどである。ＤＶＤ−ＲＡＭの場合にはＶＲであり、ＤＶＤ−Ｒの場合にはＶＦであり、ＤＶＤ＋ＲＷやＤＶＤ＋Ｒでは＋ＶＲフォーマットの生成がされる。上記以外の番号は、図２の百の位が２から４に代わったものと考えていただきたい。ユーザがＨＤ記録を行う場合には、ＢＤのフォーマットかＡＶＣＨＤのフォーマットが必要である。この２つのフォーマットであるが、先に述べたようにディレクトリ構成から内部の管理情報に関してほぼ同じものである。
【００２１】
その為、これら２つのフォーマットを生成する場合、共通の仕様部分を生成するものを資産化しておけば、それを活用することでコード量の削減と開発工数の削減が実現できる。また、本来３つのフォーマット（ＢＤ、ＡＶＣＨＤ、ＤＶＤ）生成部が必要であるが、図４で示すように共通資産を活用することにより、ＨＤ記録用の生成部とＳＤ記録用の生成部２つの構成で済むことになる。記述していないが、もちろん差異がある部分に関しては、別途対応するソフトウェアを追加必要がある。
【００２２】
上記説明したように図２や図３のＡＶコーデックの出力切替と図４のフォーマット生成部の出力切替の組み合わせにより、よりシンプルに制御を行うことが可能となる。また、共通資産の活用により構成の簡易化や開発工数の低減が可能なので、ユーザに早くＨＤ画質の記録が可能なビデオカメラを提供できる。
【図面の簡単な説明】
【００２３】
【図１】本システムの構成図である。
【図２】圧縮フォーマットと各種媒体との対応を示したイメージ図。
【図３】圧縮フォーマットと各種媒体との対応を示したイメージ図、但しＨＤＤの場合。
【図４】フォーマットの生成部と各種フォーマットとの対応を示しているイメージ図。
【符号の説明】
【００２４】
１００・・・操作部
１０１・・・システム制御部
１１０・・・映像入力部
１１１・・・ＡＤ／ＤＡ
１１２・・・信号処理部
１１３・・・映像圧縮伸張部
１１４・・・表示部
１２０・・・マイク
１２１・・・ＡＭＰ
１２２・・・ＡＤ／ＤＡ
１２３・・・音声圧縮伸張部
１２４・・・スピーカ
１３０・・・大容量メモリ
１３１・・・多重分離部
１３２・・・ＡＴＡＰＩ／ＡＴＡ部
１３３・・・媒体Ｒ／Ｗ制御部
１３４・・・ＭＭＣ制御部
１４１・・・ＤＶＤ／ＢＤ
１４２・・・ＨＤＤ
１４３・・・ＳＤカード
１５０・・・フォーマット制御部
２００・・・ＡＶＣＯＤＥＣ
２０１・・・ＨＤ記録切替端子
２０２・・・ＳＤ記録切替端子
２１０・・・ＢＤ切替用端子
２１１・・・ＤＶＤ（ＡＶＣＨＤ用）切替用端子
２１２・・・ＤＶＤ（従来）切替用端子
２２０・・・ＢＤディスク
２２１・・・ＤＶＤディスク（ＡＶＣＨＤフォーマット）
２２３・・・ＤＶＤディスク
３００・・・ＡＶＣＯＤＥＣ
３０１・・・ＨＤ記録切替端子
３０２・・・ＳＤ記録切替端子
３１０・・・ＨＤＤ（ＢＤ用）切替用端子
３１１・・・ＨＤＤ（ＡＶＣＨＤ用）切替用端子
３１２・・・ＨＤＤ（従来ＤＶＤ）切替用端子
３２０、３２１，３２３・・・ＨＤＤ
４００・・・フォーマット生成部
４０１・・・共通フォーマット生成部
４０２・・・ＤＶＤフォーマット生成部
４１０・・・ＢＤ切替用端子
４１１・・・ＤＶＤ（ＡＶＣＨＤ用）切替用端子
４１２・・・ＤＶＤ（従来）切替用端子
４２０・・・ＢＤディスク
４２１・・・ＤＶＤディスク（ＡＶＣＨＤフォーマット）
４２３・・・ＤＶＤディスク
【図１】
2008205986.tif 000003
【図２】
2008205986.tif 000004
【図３】
2008205986.tif 000005
【図４】
2008205986.tif 000006